(57)【特許請求の範囲】
【請求項１】
吸い込み口２と吐き出し口３を備えた装置本体１と、
この装置本体１内に設けた送風機８と、
前記装置本体１の吸い込み口２に取付けた吸い込み側薬剤保持体６と、
前記装置本体１の吐き出し口３に取付けた吐き出し側薬剤保持体７と、
前記装置本体１内の空気の一部が吐き出し側薬剤保持体７の揮散性薬剤と触れずに直接気中に流出する気流通過部３０を備えていることを特徴とする送風式薬剤放散装置。
【請求項２】
吐き出し側薬剤保持体７に気流通過部３０を形成した請求項１記載の送風式薬剤放散装置。
【請求項３】
装置本体１に気流通過部３０を形成した請求項１記載の送風式薬剤放散装置。
【請求項４】
装置本体１と吐き出し側薬剤保持体７との間に気流通過部３０を設けた請求項１記載の送風式薬剤放散装置。
【請求項５】
装置本体１は電池収納部１ｃを有し、この電池収納部１ｃに設けた電池９で送風機８を駆動するようにした請求項１〜４いずれか１項に記載の送風式薬剤放散装置。
【発明の詳細な説明】
【０００１】
【発明の属する技術分野】
本発明は、快適な生活空間をえる為に、芳香、消臭、除菌、殺虫、害虫忌避などの目的に供する揮散性薬剤を放散する装置に関し、さらに詳しくは、複数の目的を達成する為に複数の揮散性薬剤を同時に放散することができるようにした送風式薬剤放散装置に関するものである。
【０００２】
【従来の技術】
従来から快適な生活空間を得るために、各目的に応じて芳香剤、消臭剤、除菌剤、殺虫剤、害虫忌避剤等の揮散性薬剤を気中に放散させ、香りを楽しんだり、ニオイを消したり、或いは、害虫を防除する等している。
これら揮散性薬剤を気中に放散させるものとしては、昨今、ファンを用いた送風式薬剤放散装置が、芳香剤等の揮散性薬剤を短時間で拡散できる便利性から多くの提案がされている。
この送風式薬剤放散装置は、装置内に形成した吸い込み口と吐き出し口との気流通路にファンを具備したものであって、その吸い込み口、又は吐き出し口に揮散性薬剤を保持した薬剤保持体を配設し、ファンの回転により発生する気流に揮散性薬剤を乗せ、吐き出し口から気中へ放散するものである。
【０００３】
【発明が解決しようとする課題】
前述の送風式薬剤放散装置は、個々の目的に応じた単一薬剤を利用したものであり、例えば、芳香用、消臭用、又は飛翔害虫用、匍匐害虫用等とそれぞれ専用の送風式薬剤放散装置である。
このために、それぞれの目的に応じた送風式薬剤放散装置を準備する必要がある。もし、１台の送風式薬剤放散装置で、複数の目的に使用することができれば便利である。
【０００４】
本発明は、前述の課題に鑑みなされたものであって、同時に複数の目的を達成すべく複数の揮散性薬剤を同時に気中に放散できる送風式薬剤放散装置を提供することを目的とするものである。
【０００５】
【課題を解決するための手段】
第１の発明は、吸い込み口２と吐き出し口３を備えた装置本体１と、
この装置本体１内に設けた送風機８と、
前記装置本体１の吸い込み口２に取付けた吸い込み側薬剤保持体６と、
前記装置本体１の吐き出し口３に取付けた吐き出し側薬剤保持体７と、
前記装置本体１内の空気の一部が吐き出し側薬剤保持体７の揮散性薬剤と触れずに直接気中に流出する気流通過部３０を備えていることを特徴とする送風式薬剤放散装置である。
【０００７】
第２の発明は、第１の発明において吐き出し側薬剤保持体７に気流通過部３０を形成した送風式薬剤放散装置である。
【０００８】
第３の発明は、第１の発明において装置本体１に気流通過部３０を形成した送風式薬剤放散装置である。
【０００９】
第４の発明は、第１の発明において装置本体１と吐き出し側薬剤保持体７との間に気流通過部３０を設けた送風式薬剤放散装置である。
【００１０】
第５の発明は、第１〜第４いずれか１つの発明において装置本体１は電池収納部１ｃを有し、この電池収納部１ｃに設けた電池９で送風機８を駆動するようにした送風式薬剤放散装置である。
【００１１】
【作  用】
第１の発明によれば、装置本体１が吸い込み側設置部４と吐き出し側設置部５を有するので、その各設置部に吸い込み側薬剤保持体６、吐き出し側薬剤保持体７をそれぞれ取付けることで、各薬剤保持体の揮散性薬剤を同時に気中に放散できる。
したがって、吸い込み側薬剤保持体６の揮散性薬剤と吐き出し側薬剤保持体７の揮散性薬剤を目的の異なるものとすることで、同時に複数の目的を達成すべく複数の揮散性薬剤を同時に気中に放散できる。
【００１３】
また、吸い込み側薬剤保持体６の揮散性薬剤とともに装置本体１内に吸い込まれた揮散性薬剤を含有した空気は、その一部が気流通過部３０から直接気中に放散され、残りの空気が吐き出し側薬剤保持体７に触れながら気中に放散される。
したがって、吸い込み側薬剤保持体６の揮散性薬剤がスムーズに気中に放散すると共に、吐き出し側薬剤保持体７の揮散性薬剤に前述の揮散性薬剤が付着、蓄積することが低減する。
【００１４】
第２の発明によれば、気流通過部３０のために装置本体１に何らの加工が不要である。
【００１５】
第３の発明によれば、気流通過部３０のために装置本体１に加工すれば良く、吐き出し側薬剤保持体７は通常一般の形態の薬剤保持体を使用できる。
【００１６】
第５の発明によれば、装置本体１が小型で持ち運びが容易で、屋内や屋外など任意の場所で使用でき、汎用性が優れている。
【００１７】
【発明の実施の形態】
本発明の第１の実施の形態を図１、図２、図３に基づいて説明する。
装置本体１は、吸い込み口２と吐き出し口３及び吸い込み側設置部４と吐き出し側設置部５を有する。
前記吸い込み側設置部４と吐き出し側設置部５には吸い込み側薬剤保持体６と吐き出し側薬剤保持体７がそれぞれ取付けられる。
この吸い込み側薬剤保持体６、吐き出し側薬剤保持体７は、揮散性薬剤を有する。
前記装置本体１内には送風機８と、この送風機８を駆動する電池９が設けてある。
例えば、送風機８は電動モータ８ａでファン８ｂを回転するもので、その電動モータ８ａは電池９によって駆動される。
【００１８】
前記送風機８を駆動すると、図２で矢印ａで示すように空気が吸い込み側薬剤保持体６を通って吸い込み口２から装置本体１内に吸い込まれる。この吸い込まれた空気に吸い込み側薬剤保持体６の揮散性薬剤が含有する。
前記揮散性薬剤を含有した空気は装置本体１内を矢印ｂで示すように流れ、吐き出し口３、吐き出し側薬剤保持体７を通って矢印ｃで示すように装置本体１の外部に流出する。
この流出した空気には前述の揮散性薬剤とともに吐き出し側薬剤保持体７の揮散性薬剤が含有している。
【００１９】
前述の送風式薬剤放散装置は、薬剤揮散のために装置本体１の吸い込み口２、吐き出し口３の２箇所を利用していることで簡単な構造からなる薬剤放散装置が設計でき、薬剤放散装置の小型化を可能とし、さらに薬剤放散装置の価格高を抑制することができた。
【００２０】
また、薬剤保持体の設置箇所が複数になることで異なった揮散性薬剤の使用ができ、複数の目的を同時に発揮することが可能である。
例えば、吸い込み側薬剤保持体６の揮散性薬剤と吐き出し側薬剤保持体７の揮散性薬剤が気中に放散される。
したがって、前述の各揮散性薬剤を目的の異なるものとすることで、同時に複数の目的を達成すべく複数の揮散性薬剤を同時に気中に放散できる。
【００２１】
また、揮散性薬剤を保持した薬剤保持体を少なくとも２箇所に使用できるようにしたことで、今まで混合することができなかった薬剤の使用、揮散速度の違う薬剤の使用、効能の異なる薬剤の使用、薬剤の使用量の増量、使用薬剤の種類による使い分け、等が可能となり、例えば、日常生活で、生活廃棄物やトイレ等から発生する種々の悪臭成分の混ざったニオイの問題、多湿での押入れや台所収納場所等から発生するカビやニオイの問題、又は、蚊や蛾等の飛翔害虫、ゴキブリ、アリ等の匍匐害虫による衛生上の被害等に対して、或いは、香り等による安らげる環境作り、除菌や消臭等による衛生的な環境作りなどに対して、それぞれに適した揮散性薬剤を選択し、同時に準備することができることから、快適な生活空間を得ることができる。
【００２２】
また、送風機８は電池９を電源とするので、装置本体１が小型で持ち運びが容易で、屋外や屋内など任意の場所で使用でき、汎用性が優れている。
特に、送風機８としてシロッコファンを用いることで、使用電力が少なくなるから、電池９で長期間に亘って駆動でき、しかも送風音が小さい。
【００２３】
次に各部材の具体形状を説明する。
前記装置本体１は、上面板１０と下面板１１と周面板１２で矩形箱形状で、その上面板１０の左右に吸い込み口２と吐き出し口３が形成されている。つまり、吸い込み口２と吐き出し口３は同一面に形成してある。
前記装置本体１内は第１仕切壁１３と第２仕切壁１４で吸い込み側室１ａと吐き出し側室１ｂと電池収納室１ｃに区画され、その吸い込み側室１ａに送風機８が設けてあると共に、吸い込み口２に開口し、この吸い込み側室１ａは第１仕切壁１３に形成した開口部１５で吐き出し側室１ｂに連通して、装置本体１内に吸い込み口２と吐き出し口３を連通する気流流路を形成している。前記吐き出し側室１ｂは吐き出し口３に開口している。
前記第２仕切壁１４は開口部１５から吐き出し口３に向けて斜めの上向きに傾斜し、開口部１５から吐き出し口３に向けて空気がスムーズに流通するようにしてある。
【００２４】
つまり、この実施の形態では装置本体１の同一面に吸い込み口２と吐き出し口３が形成され、吸い込み口２と吐き出し口３とを連通する気流流路を、第１仕切壁１３の開口部１５を介して吸い込み口２と吐き出し口３の開口方向に略交差方向に形成している。
【００２５】
前記上面板１０における吸い込み口２、吐き出し口３よりも外周寄りに環状の凹陥部１６をそれぞれ形成し、この凹陥部１６で前記各設置部４，５としてある。
つまり、この実施の形態では各設置部４，５は、各薬剤保持体６，７が嵌合して取付けられる形状で、装置本体１に薬剤保持体６，７が脱着自在であると共に、その脱着操作が容易である。
【００２６】
前記各薬剤保持体６，７は、通気性を有する容器２０内に揮散性薬剤を含浸した粒剤２１を所定量収納した形態で、その容器２０が前記凹陥部１６（設置部４，５）に嵌合して取付けられる。
例えば、前記容器２０は上下面２０ａ，２０ｂに細長形状の通気孔２２を複数形成した形状で、その通気孔２２を通って空気が流通する。
【００２７】
前記吸い込み側薬剤保持体６と吐き出し側薬剤保持体７に用いる前記揮散性薬剤の組合せとしては、例えば、消臭剤と芳香剤との組み合わせ、消臭剤と除菌剤との組み合わせ、異なる香りの組み合わせ、或いは蚊など飛翔侵入害虫に対する忌避剤と殺虫剤の組合せ、ゴキブリなど匍匐棲息害虫に対する成長阻害剤と殺虫剤との組み合わせ、などが挙げられる。使用目的に応じて最適な揮散性薬剤を選択し、各薬剤保持体に供することができる。
【００２８】
前記各設置部４，５に各薬剤保持体６，７を取付けるには、前述の容器２０に止め部を設けて設置部４，５にハメ込んだり、ねじ止めしたり、ロック止めなど任意の手段を用いることができる。
【００２９】
次に、本発明の第２の実施の形態を図４〜図１７に基づいて説明する。
この実施の形態は、吐き出し側薬剤保持体７又は、吐き出し側薬剤保持体７と装置本体１との間又は、装置本体１に気流通過部３０を設けたことが第１の実施の形態と異なり、他は同一である。
前記気流通過部３０とは、装置本体１内の揮散性薬剤を含有した空気の一部を、吐き出し側薬剤保持体７の揮散性薬剤と触れずに直接気中に流出するものである。
このようにすることで、吸い込み側薬剤保持体６の揮散性薬剤が気中にスムーズに放散すると共に、吐き出し側薬剤保持体７の揮散性薬剤に前述の揮散性薬剤が付着、蓄積することが減少する。
【００３０】
すなわち、前述のように吸い込み口２と吐き出し口３に薬剤保持体をそれぞれ設置した場合、吸い込み口２に設置した吸い込み側薬剤保持体６の揮散性薬剤を吐き出し口３から放散するには、吐き出し口３側に設置した吐き出し側薬剤保持体７が吸い込み側薬剤保持体６からの揮散性薬剤の通過を妨げないことが重要である。そのためには、吐き出し口３側の通気性を大きくすることが望ましい。
特には、使用する揮散性薬剤の性状や、その組み合わせによっては、より大きな通気性を必要とする。
このように、通気性を大きくするには薬剤保持体自体の通気性を高くすることが考えられるが、このようにすると、薬剤の保持量の問題や、薬剤保持体の価格アップ、また、実用面で使用できる保持体材料が少ないことがあって、実現性に問題がある。
【００３１】
このために、前述した機能を有する気流通過部３０を設けることで、その吐き出し側薬剤保持体７による空気通過の抑制を補い、吸い込み側薬剤保持体６からの揮散性薬剤を吐き出し口３から気流通過部３０を通ってスムーズに放散することができる。一方、吐き出し側薬剤保持体７は吸い込み側薬剤保持体６からの揮散性薬剤の付着、蓄積などが減少すると共に、その揮散性薬剤を吐き出し口３からスムーズに放散することができる。
【００３２】
前記気流通過部３０の形成位置、形状、大きさ等は、特に限定されず、吐き出し側薬剤保持体７、吐き出し側設置部５の形態や使用する揮散性薬剤に応じて設定すればよい。例えば、吐き出し側薬剤保持体７が、収納容器形態ではその中央１箇所に孔部、その周辺数箇所に凹部など、直接保持形態では数箇所に細孔や切れ目などを形成したものが挙げられる。また、吐き出し側設置部５は、吐き出し側薬剤保持体７の設置状態においてその周囲位置に気流通過口を全面、或いは数箇所に設けるなどが挙げられる。さらに、吐き出し側薬剤保持体７や吐き出し側設置部５に段差部分を設けることで隙間を形成することもできる。
気流通過部３０を複数箇所設ける場合、吐き出し側薬剤保持体７への気流の方向、風圧などが気流通過部３０によって変わらないことが望ましく、その形成位置を均等配分、均等間隔にする、また形成形状が同じであることが好ましい。
【００３３】
前記気流通過部３０を設けた時、吐き出し口３における、吐き出し側薬剤保持体７の設置前と設置後との排出風量の比率が、ほぼ１００〜６０％範囲であり、吸い込み側薬剤保持体６の揮散性薬剤を吐き出し口３から効率的に放散することができる。前記比率が６０％未満の場合、吐き出し側薬剤保持体７内の通過力が弱まり吐き出し口３からの放散量が減少する。好ましくは、ほぼ１００〜７０％の範囲である。
【００３４】
この場合、吐き出し側薬剤保持体７を設置していない時の吐き出し口３の排出風量は、０．０８〜２．０Ｌ／ｓｅｃの範囲である。該範囲であれば広範囲の揮散性薬剤を吸込み放散、送風し放散するには充分である。好ましくは０．１３〜１．０Ｌ／ｓｅｃの範囲である。前記排出風量が０．０８Ｌ／ｓｅｃ未満の場合、風量が弱く吸い込み側薬剤保持体６及び吐き出し側薬剤保持体７からの揮散性薬剤の吐き出し口３からの放散量が減少する。２．０Ｌ／ｓｅｃ以上の場合は放散時間の短縮など問題が生じる。
【００３５】
次に、吐き出し側薬剤保持体７に気流通過部３０を形成した例を説明する。
第１の例は、図４と図５に示すように、吐き出し側薬剤保持体７の容器２０に上下面２０ａ，２０ｂに貫通した小孔２３を形成し、装置本体１の吐き出し口３を直接気中に開口する気流通過部３０とする。
この小孔２３の断面形状は円形、星形、矩形など任意である。
【００３６】
第２の例は、図６と図７に示すように、吐き出し側薬剤保持体７の容器２０を上部にフランジ２４を有する形状とし、そのフランジ２４に複数の孔２５を形成する。
前記フランジ２４を凹陥部１６に嵌合して取付け、その孔２５を吐き出し口３を直接気中に開口する気流通過部３０とする。
【００３７】
次に、吐き出し側薬剤保持体７と装置本体１との間に気流通過部３０を形成した例を説明する。
第１の例は、図８と図９に示すように吐き出し側薬剤保持体７の容器２０の外周面に複数の切欠部２６を形成し、この切欠部２６と吐き出し口３との間に気流通過部３０を形成する。この場合には吐き出し側設置部５と吐き出し口３が兼用で、容器２０が吐き出し口３に嵌合して取付けられる。
【００３８】
第２の例は、前記容器２０の切欠部２６の代りに図１０に示すように容器２０の外周面に複数の突起２７を形成し、この突起２７を吐き出し口３に嵌合し、容器２０の外周面と吐き出し口３との間に気流通過部３０を形成する。
【００３９】
第３の例は、図１１に示すように容器２０のフランジ２４に切欠部２４ａを形成し、この切欠部２４ａと吐き出し口３との間に気流通過部３０を形成する。
【００４０】
第４の例は、図１２と図１３に示すように容器２０の下面２０ｂに複数の突起２８を形成し、この突起２８を装置本体１の上面板１０に、凹陥部１６に嵌合するように載置することで、その下面２０ｂと上面板１０との間に吐き出し口３を気中に直接開口する気流通過部３０を形成する。前記凹陥部１６を形成せずに突起２８を上面板１０に載置しても良い。この場合に突起２８を下向き鉤形状とし、その突起２８の一部を吐き出し口３に嵌合するようにしても良い。
なお、図示は省略するが突起２８を装置本体１の上面板１０に形成しても良い。
【００４１】
次に、装置本体１に気流通過部３０を形成した例を説明する。
第１の例は、図１４に示すように吐き出し口３を吐き出し側薬剤保持体７（容器２０）よりも大径とし、その吐き出し口３に載置部、例えば十文字片３１を一体的に設け、その吐き出し口３の内周縁寄り部分（容器２０の外周面よりも内周寄り部分）を気流通過部３０とする。
【００４２】
第２の例は、図１５に示すように前述の載置部を複数の突出片３２としたものである。
【００４３】
第３の例は、図１６に示すように吐き出し口３を吐き出し側薬剤保持体７（容器２０）よりも小径とし、装置本体１の上面板１０における吐き出し口３の周囲にスリット状の孔３３を複数形成し、この各孔３３で気流通過部３０とする。
【００４４】
第４の例は、図１７に示すように吐き出し口３を吐き出し側薬剤保持体７（容器２０）よりも大径とし、その吐き出し口３に網体３４を張設して吐き出し側設置部５とする。
これによって、網体３４の内周寄り部分（容器２０の外周面よりも内周寄り部分）が気流通過部３０となる。
【００４５】
次に、本発明の第３の実施の形態を説明する。
この実施の形態は装置本体１の形状が第１の実施の形態と異なる。つまり、装置本体１は送風容器体とカバー体を有し、そのカバー体に各薬剤保持体６，７を取付けした形態としたものである。
このようにすることで、薬剤保持体をしっかりと取付け固定できる、薬剤保持体取付け箇所の確定、簡便に保管できる等の利点を有する。
【００４６】
第１の例を図１８と図１９に基づいて説明する。
装置本体１は送風容器体４０とカバー体５０を有する。
前記送風容器体４０は吸い込み口２と吐き出し口３を有すると共に、送風機８が内蔵してある。
前記カバー体５０は吸い込み側設置部４と吐き出し側設置部５と電池収納室１ｃを有し、このカバー体５０は送風容器体４０に着脱自在に取付けられ、その吸い込み側設置部４が吸い込み口２と対向し、吐き出し側設置部５が吐き出し口３と対向する。
【００４７】
前記送風容器体４０は、底面板４１と一対の側面縦板４２と端面縦板４３と上下中間の中間横板４４と左右中間の中間縦板４５でカバー体取付用の凹部と中空部を有するほぼ箱形状で、その中間横板４４に吸い込み口２と吐き出し口３が形成され、内部に送風機８が設けてある。つまり、中間横板４４が前述の上面板１０に相当する。
前記カバー体取付用の凹部は、上向き凹部４６と横向き凹部４７でほぼＬ字形状である。
前記一対の側面縦板４２の内面における中間縦板４４よりも上方寄りにガイド部、例えば突片４８が左右方向に連続して有する。
【００４８】
前記カバー体５０は、前記送風容器体４０のカバー体取付用の凹部に嵌め込んで着脱自在に取付けられる。
例えば、前記上向き凹部４６に嵌まり込む横向部５１と前記横向き凹部４７に嵌まり込む縦向部５２でほぼＬ字形状である。
前記横向部５１は第１・第２下向凹陥部５３，５４を有するへん平なほぼ箱形状で、その上面板５１ａに第１・第２凹陥部５３，５４に開口した２つの孔５５がそれぞれ形成され、その各孔５５が前記各設置部４，５を形成する。この第１・第２凹陥部５３，５４は下向きである。
この横向部５１の２つの側面５１ｂにはガイド部、例えば溝５６が形成され、この溝５６が前記突片４８にスライド自在に嵌合する。
前記縦向部５２は中空形状で、電池収納室１ｃを有する。この縦向部５２の一部は着脱自在で、電池収納室１ｃに電池９を出し入れできる。
【００４９】
前記各薬剤保持体６，７の容器２０は、前記孔５５に嵌合する形状・大きさで、その外周面にフランジ２０ｄを有し、その容器２０を孔５５に下から上向に向けて嵌合することでフランジ２０ｄが上面板５１ａの下面に接して取付けられ、各薬剤保持体６，７は第１・第２凹陥部５３，５４内に収納される。
【００５０】
各薬剤保持体６，７を取付けた状態でカバー体５０を図１９で矢印ｄで示すように送風容器体４０に、溝５６と突片４８を嵌合してスライドさせながら押し込むことで、カバー体５０が取付けられる。
これによって、横向部５１の下端面５１ｃが送風容器体４０の中間横板４４の上面に接し、第１凹陥部５３が吸い込み口２の周囲をカバーして空間を形成し、第２凹陥部５４が吐き出し口３の周囲をカバーして空間を形成する。
【００５１】
図１９において、符号５７は蓋で、図１８に仮想線で示すように各薬剤保持体６，７の容器２０における横向部５１の上面５１ａから突出した部分に嵌合して着脱自在に取付けられる。
このように、未使用時に蓋５７を取付けることで揮散性薬剤が気中に放出されなくなり、その揮散性薬剤の放出ロスをなくする。
【００５２】
この送風式薬剤放散装置は前述の図２に示したものと同様にして吸い込み側薬剤保持体６の揮散性薬剤と吐き出し側薬剤保持体７の揮散性薬剤を気中に放散することができる。
【００５３】
第２の例としては、図２０に示すように送風容器体４０は、その中間横板４４に吸い込み口２を形成し、中間縦板４５に吐き出し口３を形成すると共に、中空部の下方に電池収納室１ｃを形成したことが第１の例の送風容器体４０と異なり、他の形態は同様である。
カバー体５０は、第１の例における横向部５１を横向き部５１−１と縦向き部５１−２でＬ字形状とした形態で、第１凹陥部５３が下向き、第２凹陥部５４が横向きである。
【００５４】
カバー体５０を送風容器体４０のカバー体取付用の凹部に第１の例と同様に取付けられ、カバー体５０の横向き部５１−１が上向き凹部４６に嵌合し、縦向き部５１−２が横向き凹部４７に嵌合する。
カバー体５０の第１凹陥部５３が吸い込み口２の周囲をカバーして空間を形成し、第２凹陥部５４が吐き出し口３の周囲をカバーして空間を形成する。
【００５５】
このように、送風容器体４０の中間横板４４（上面）と中間縦板４５（側面）に吸い込み口２、吐き出し口３を形成したことによって、その送風容器体４０の左右方向の大きさが図１８に示すものよりも小さく、全体がより小型となる。
なお、カバー体５０の代わりに、２つの収容部を有する一体成形体とからなる薬剤保持体、或いは２個の薬剤保持体の連結用具を使用することもできる。
【００５６】
前述の第２の例のように、上面と側面に吸い込み口２と吐き出し口３を形成することは、図２に示す装置本体１が一体形状の場合にも応用でき、それによって装置本体１を小さくして全体をより小型とすることができる。
すなわち、図２に示すように上面に吸い込み口２と吐き出し口３を形成した場合には装置本体１が送風機８を設ける吸い込み側室１ａと吐き出し側室１ｂを有する形状となるので、その左右方向の寸法が大きくなるが、上面と側面に吹き出し口２と吐き出し口３を形成すれば、装置本体１は１つの室を有する形状で良く、その左右方向の寸法が小さい。
【００５７】
前述の第１の例、第２の例においてカバー体５０は側方からスライドして取付けしたが、上方からスライドして取付けても良いし、スライドさせずに直接嵌め込むようにしても良い。
【００５８】
前述の第３の実施の形態においても第２の実施の形態と同様に気流通過部３０を設けることができる。
例えば、図１８、図２０においてカバー体５０の孔５５、容器２０のフランジ２０ｄに切欠きや孔を形成して気流通過部３０を形成する。
【００５９】
次に、本発明の第４の実施の形態を図２１と図２２に基づいて説明する。
この実施の形態は、吸い込み側設置部４及び／又は吐き出し側設置部５を収納室の形態とし、容器を用いずに揮散性薬剤を含有した薬剤保持体を収納して設置できるようにしたことが、前述の第１の実施の形態と大きく異なる。
【００６０】
例えば、装置本体１を、その底部に空洞部６０を有する二重底で、中空部６１と上面に開口した凹部６２を有するほぼ箱形状で、前記中空部６１を形成する上面板６３に吸い込み口２が形成され、中空部６１と凹部６２を区画する縦仕切り板６４に吐き出し口３が形成された形態とする。
前記空洞部６０が前述の電池収納室１ｃを形成し、中空部６１に送風機８を設ける。
前記上面板６３の吸い込み口２周縁部分が吸い込み側設置部４を形成し、前記凹部６２が吐き出し側設置部５となる収納室を形成する。
【００６１】
吸い込み側薬剤保持体６は、前述と同様に容器２０内に揮散性薬剤を含浸した粒剤２１を充填した形態で、その容器２０の下面２０ｂに形成したリング状の突起６５を吸い込み口２に嵌合して着脱自在に取付けられる。
吐き出し側薬剤保持体７は、揮散性薬剤を含有した薬剤保持体、例えば球状成形物６６で、この球状成形物６６を凹部６２内に複数充填して取付ける。
【００６２】
送風機８を駆動することで、空気が矢印ａ，ｂ，ｃで示すように流通し、各薬剤保持体の揮散性薬剤が同時に気中に放散される。
また、吐き出し側設置部５が収納室であるから、球状成形物６６を直接充填することが可能であり、容器２０が不要となる。
【００６３】
前記球状成形物６６の代りに、通気性袋に揮散性薬剤を収納したもの、カード状のものに揮散性薬剤を含浸したカードタイプのものを用いることができる。
前記凹部６２は１つに限ることはなく、中空部６１の周囲に２つ又は３つ以上形成しても良いし、中空部６１の全周に亘ってリング形状に凹部６２を形成しても良い。
【００６４】
この実施の形態でも前述の第２の実施の形態と同様に気流通過部３０を形成することができる。
例えば、図２１において凹部６２にＬ字形状のパイプを設け、吐き出し口３より凹部６２に流れる空気の一部がパイプを通して気中に直接流出するようにする。
【００６５】
本発明の薬剤保持体に用いる揮散性薬剤としては、常温、送風などの条件で揮散する殺虫剤、忌避剤、害虫成長制御剤、芳香消臭剤、消臭剤、防カビ剤、防菌剤などが挙げられる。
【００６６】
本発明の薬剤保持体は、前記揮散性薬剤を含有する担持体（粉剤、粒剤など）や担持体の成形体（ネット、シート、プレート、多孔体、繊維体、綿体、スポンジ体など）、またはそれらの収納体（通気性容器、通気性袋など）である。また、薬剤保持体は、その形態、材質を任意に設定することができる。簡単な構造で、通気性の大きいものが好ましい。
例えば、通気孔容器形状、網形状、ハニカム形状、すのこ形状、格子形状、開孔形状などの構造が挙げられる。材質は、例えば、紙、合成樹脂、セラミック、繊維など公知のものが使用できる。
また、容器を使用しない網目状プレート、多孔質プレートなどの薬剤保持体、又はこれらプレートタイプの薬剤保持体と容器を使用した薬剤保持体を組み合せて使用することもできる。
【００６７】
【発明の効果】
請求項１に係る発明によれば、装置本体１が吸い込み側設置部４と吐き出し側設置部５を有するので、その各設置部に吸い込み側薬剤保持体６、吐き出し側薬剤保持体７をそれぞれ取付けることで、各薬剤保持体の揮散性薬剤を同時に気中に放散できる。
したがって、吸い込み側薬剤保持体６の揮散性薬剤と吐き出し側薬剤保持体７の揮散性薬剤を目的の異なるものとすることで、同時に複数の目的を達成すべく複数の揮散性薬剤を同時に気中に放散できる。
【００６９】
また、吸い込み側薬剤保持体６の揮散性薬剤とともに装置本体１内に吸い込まれた揮散性薬剤を含有した空気は、その一部が気流通過部３０から直接気中に放散され、残りの空気が吐き出し側薬剤保持体７に触れながら気中に放散される。
したがって、吸い込み側薬剤保持体６の揮散性薬剤がスムーズに気中に放散すると共に、吐き出し側薬剤保持体７の揮散性薬剤に前述の揮散性薬剤が付着、蓄積することが減少する。
【００７０】
請求項２に係る発明によれば、気流通過部３０のために装置本体１に何らの加工が不要である。
【００７１】
請求項３に係る発明によれば、気流通過部３０のために装置本体１に加工すれば良く、吐き出し側薬剤保持体７は通常一般の形態の薬剤保持体を使用できる。
【００７２】
請求項５に係る発明によれば、装置本体１が小型で持ち運びが容易で、屋内や屋外など任意の場所で使用でき、汎用性が優れている。
【図面の簡単な説明】
【図１】本発明の第１の実施の形態を示す送風式薬剤放散装置の平面図である。
【図２】図１のＡ−Ａ断面図である。
【図３】装置本体と薬剤保持体の斜視図である。
【図４】本発明の第２の実施の形態における吐き出し側薬剤保持体に気流通過部を形成した第１の例を示す吐き出し口部分の断面図である。
【図５】第１の例の吐き出し側薬剤保持体の斜視図である。
【図６】第２の例を示す吐き出し口部分の断面図である。
【図７】第２の例の吐き出し側薬剤保持体の斜視図である。
【図８】本発明の第２の実施の形態における吐き出し側薬剤保持体と装置本体との間に気流通過部を形成した第１の例を示す吐き出し口部分の断面図である。
【図９】第１の例の吐き出し側薬剤保持体の斜視図である。
【図１０】第２の例における吐き出し側薬剤保持体の斜視図である。
【図１１】第３の例における吐き出し側薬剤保持体の斜視図である。
【図１２】第４の例を示す吐き出し口部分の断面図である。
【図１３】第４の例の吐き出し側薬剤保持体の斜視図である。
【図１４】本発明の第２の実施の形態における装置本体に気流通過部を形成した第１の例を示す吐き出し口部分の平面図である。
【図１５】第２の例を示す吐き出し口部分の平面図である。
【図１６】第３の例を示す吐き出し口部分の平面図である。
【図１７】第４の例を示す吐き出し口部分の平面図である。
【図１８】本発明の第３の実施の形態における第１の例を示す全体断面図である。
【図１９】第１の例の分解斜視図である。
【図２０】第２の例の全体断面図である。
【図２１】本発明の第４の実施の形態を示す全体断面図である。
【図２２】装置本体の斜視図である。
【符号の説明】
１…装置本体、１ｃ…電池収納室、２…吸い込み口、３…吐き出し口、４…吸い込み側設置部、５…吐き出し側設置部、６…吸い込み側薬剤保持体、７…吐き出し側薬剤保持体、８…送風機、９…電池、２０…容器、２１…粒剤、２２…通気孔、３０…気流通過部、４０…送風容器体、５０…カバー体、５７…蓋、６２…凹部（収納部）。
【図１】
0004126587.tif 000002
【図２】
0004126587.tif 000003
【図３】
0004126587.tif 000004
【図４】
0004126587.tif 000005
【図５】
0004126587.tif 000006
【図６】
0004126587.tif 000007
【図７】
0004126587.tif 000008
【図８】
0004126587.tif 000009
【図９】
0004126587.tif 000010
【図１０】
0004126587.tif 000011
【図１１】
0004126587.tif 000012
【図１２】
0004126587.tif 000013
【図１３】
0004126587.tif 000014
【図１４】
0004126587.tif 000015
【図１５】
0004126587.tif 000016
【図１６】
0004126587.tif 000017
【図１７】
0004126587.tif 000018
【図１８】
0004126587.tif 000019
【図１９】
0004126587.tif 000020
【図２０】
0004126587.tif 000021
【図２１】
0004126587.tif 000022
【図２２】
0004126587.tif 000023